(57)【要約】【課題】基体の奥行き及び幅をコンパクトにすることができるとともに製造コストが増大しない、障子開き角度切替機構を備えた窓開閉装置を提供する。【解決手段】窓枠に固定された基体２に支持されて略室内外方向に延びる、駆動軸３と同軸のウォーム４と、ウォーム４に噛み合い、垂直軸芯Ｂ１まわりに揺動するウォームホイール５と、ウォームホイール５と一体で揺動する、室外方向水平面内に延びる揺動アームと６、揺動アーム６と障子とを連結する連結アームとを含む、障子を開閉する窓開閉装置１であって、ウォームホイール５と揺動アーム６は別部品であり、揺動アーム６は、その基端部６Ａに切欠部６Ｅを有し、基体２に支持されて垂直軸芯Ｂ２まわりに揺動する係止片１０を切欠部６Ｅ内に出没させることにより、障子が開く角度を全開及び半開に切り替える。【選択図】図１０
2018135633.tif 000002
【特許請求の範囲】
【請求項１】
窓枠に取り付けられた障子が室外側へ開く開閉窓において、
前記窓枠に固定された基体に支持されて略室内外方向に延びる、駆動軸と同軸のウォームと、
前記ウォームに噛み合い、垂直軸芯又は水平軸芯まわりに揺動するウォームホイールと、
前記ウォームホイールと一体で揺動する、室外方向水平面内又は室外方向垂直面内に延びる揺動アームと、
前記揺動アームと前記障子とを連結する連結アームとを含む、
前記障子を開閉する窓開閉装置であって、
前記ウォームホイールと前記揺動アームは別部品であり、
前記揺動アームは、その基端部に切欠部を有し、
前記基体に支持されて垂直軸芯又は水平軸芯まわりに揺動する係止片を前記切欠部内に出没させることにより、前記障子が開く角度を全開及び半開に切り替えることを特徴とする、
窓開閉装置。
【請求項２】
前記ウォームホイールは、その全周に歯部を有し、前記歯部の一部が前記ウォームと噛み合う、
請求項１記載の窓開閉装置。
【請求項３】
前記係止片の揺動中心である前記垂直軸芯又は前記水平軸芯が、前記ウォームホイールの歯先円直径の幅内で、前記ウォームホイールよりも室内側に位置する、
請求項１又は２記載の窓開閉装置。
【請求項４】
前記基体を被うカバーを有し、前記開閉窓のデザイン及び色調に応じて前記カバーを交換する、
請求項１〜３の何れか１項に記載の窓開閉装置。
【請求項５】
窓枠に取り付けられた障子が室外側へ開く開閉窓であって、
請求項１〜４の何れか１項に記載の窓開閉装置を備えた開閉窓。
【発明の詳細な説明】
【技術分野】
【０００１】
本発明は、障子が室外側へ開く開閉窓に用いる窓開閉装置に関わり、さらに詳しくは、障子が開く角度を全開及び半開に切り替えることができる窓開閉装置に関する。
【背景技術】
【０００２】
窓枠に取り付けられた障子が室外側へ開く開閉窓において、窓枠に固定された基体（本体１０、基台１６）に支持されて略室内外方向に延びる、駆動軸（回転軸２１、軸１５）と同軸のウォーム（２１ａ、１４）と、ウォームに噛み合い、垂直軸まわりに揺動するウォームホイール（ウォームホイール１３、ウォーム歯車１９）と、ウォームホイールと一体で揺動する、室外方向水平面内に延びる揺動アーム（回転アーム１４、駆動アーム３）と、揺動アームと障子（２，５）とを連結する連結アーム（連結アーム２３、連結杆４）とを含むものがある（例えば、特許文献１及び２参照）。
このような窓開閉装置は、駆動軸に連結されたオペレータハンドル（把持部２２、クランクハンドル７）を回転する小さなトルクにより大きな操作力が得られるとともに、障子を開いた状態では、ウォームホイールからウォームを回すことができない特徴（セルフロック）を利用して、障子を開いた状態を保持できる。
【０００３】
特許文献１の窓開閉装置において、ウォームホイール１３と回転アーム１４は一体に形成される。そして、ウォームホイール１３には略半周にわたって歯車の歯が形成されており、この歯がウォーム２１ａと噛み合う。
特許文献２の窓開閉装置において、ウォーム歯車１９と駆動アーム３は別体で形成された後、一体に回転するように結合される。そして、ウォーム歯車１９は、奥行きをコンパクトにまとめるために、全周の約２／３程度にわたって歯車の歯が形成されており、この歯がウォーム１４と噛み合う。
【０００４】
特許文献１及び２の窓開閉装置は、障子が開く角度を全開及び半開に切り替えることができる機構（以下において、「障子開き角度切替機構」という）を備える。
障子開き角度切替機構により障子を半開までしか開かないようにすれば、防犯性及び安全性を高めることができる。
【０００５】
特許文献１の窓開閉装置における障子開き角度切替機構では、ウォームホイール１３の歯車の歯が形成されていない部分に切欠１３ａを形成している。そして、ピン１９を回動させて係止部材２０の突部２０ａを切欠１３ａ内に位置させることにより、突部２０ａの先端が切欠１３ａの内面に当接するので障子が開く角度が半開になる。また、ピン１９を回動させて係止部材２０の突部２０ａを切欠１３ａ内に位置させないようにすることにより、障子が開く角度が全開になる。
【０００６】
特許文献２の窓開閉装置における障子開き角度切替機構では、障子が開く角度を全開及び半開に切り替えるように駆動ア−ム３を制御する制御手段と、前記制御手段を半開状態と全開状態に選択的に動作させる動作手段と、前記動作手段を操作する操作手段を備える。
前記制御手段は、駆動ア−ム３側にその回転中心を中心とする同一円弧線上に配置された相対的な広幅孔２８と広幅孔２８に連通した細幅孔２９で形成された制御孔３０と、広幅孔２８と細幅孔２９の間を往復動可能な軸部３２と軸部３２の下端に連設されて広幅孔２８は上下方向に通過できるが細幅孔２９は通過できないフランジ部３３で形成された制御ピン３４を含み、制御ピン３４は広幅孔２８位置で制御孔３０内に嵌合し、細幅孔２９との相対的移動にて駆動ア−ム３の回転を障子の半開に対応する角度に制限し、また制御ピン３４は広幅孔２８の位置で制御孔３０内から引抜き、駆動ア−ム３をその回転角度に対する制限を解除して障子の全開に対応する角度に回転可能にする。
前記動作手段は、中間が支点で揺動可能に支持されるてこ３５を含み、てこ３５はその一端に制御ピン３４が固着され、他端がばね３９で制御ピン３４が制御孔３０に向かう方向に常時付勢されており、前記動作手段はさらにばね３９と相俟っててこ３５を揺動させる動作片４０を含み、動作片４０はてこ３５をその支点とばね作用点間にて押し下げて制御ピン３４を制御孔３０から引き抜く位置とてこ３５に対する押し下げを解除して制御ピン３４を制御孔３０に嵌合させる位置の間を往復動する。
前記操作手段としてのつまみ８は、動作片４０に連結されており、動作片４０をてこ３５に対する押し下げ位置とその解除位置の間を往復動させる。
【先行技術文献】
【特許文献】
【０００７】
【特許文献１】特開平１１−２２３０６７号公報
【特許文献２】特開平１０−２８０７９８号公報
【発明の概要】
【発明が解決しようとする課題】
【０００８】
障子が室外側へ開く開閉窓として、デザイン性、効率的な採光、及びプライバシーの確保等の観点から、スリムな外観の開閉窓が増加している。
このようなスリムな外観の開閉窓に用いる窓開閉装置は、その基体が室内側から視認されることから、主にデザイン面から基体をなるべく小型化するのが望ましく、それによりすっきりした窓開閉装置及び開閉窓になるので、製品価値が高くなる。
その上、スリムな外観の開閉窓ではない通常の外観の開閉窓に窓開閉装置を用いた場合においても、窓開閉装置を小型化できれば、窓開閉装置の基体やオペレータハンドルがカーテン又はロールスクリーン等に干渉し難くなるとともに、開閉窓における窓開閉装置の存在感が小さくなってすっきりとした印象になるので、デザイン性が向上する。
【０００９】
特許文献１のような窓開閉装置の構成では、ウォームホイール１３と回転アーム１４は一体に形成されるので、ウォームホイール１３の歯車の歯を形成しない部分で且つ回転アーム１４が突出しない部分に、障子開き角度切替機構を構成する切欠１３ａを形成している。それにより、本体１０内において、障子が開く角度を半開にする際に切欠１３ａ内に位置させる突部２０ａを備えた、障子開き角度切替機構を構成する係止部材２０を配置する箇所が限定される。
その上、障子を開閉操作するために回転する回転アーム１４及びウォームホイール１３には大きな力が加わることから、窓開閉装置の動作を確実にするために、ウォーム２１ａが噛み合う歯を有するウォームホイール１３には十分な強度及び剛性を確保する必要がある。切欠１３ａをウォームホイール１３のより内径側まで深く形成すると、十分な強度及び剛性を確保できないので、切欠１３ａは歯底円程度までの範囲内に形成される（特許文献１の図３参照）。
よって、窓開閉装置を小型化し難い構造になっている。
【００１０】
特許文献２のような窓開閉装置の構成では、ウォーム歯車１９と駆動アーム３は別体で形成された後、一体に回転するように結合される。
障子開き角度切替機構における前記制御手段を構成する制御孔３０は駆動アーム３側に設けられ、前記制御手段を構成する制御ピン３４は、制御孔３０にその上方から上下動にて係合離脱する。制御ピン３４の上下動は、障子開き角度切替機構における前記動作手段を構成するてこ３５の揺動にてなされる。てこ３５の揺動は、障子開き角度切替機構における前記操作手段を構成するつまみ８でなされる。
そして、障子開き角度切替機構の前記動作手段及び前記操作手段は、長方形板状の基台１６の左側に位置するウォーム１４とともにウォーム歯車１９を挟むように、長方形板状の基台１６の右側に位置する。
よって、窓開閉装置の基体（基台１６）の奥行きはコンパクトになるが、幅（左右方向の長さ）はコンパクトにならない。
その上、特許文献２の窓開閉装置における障子開き角度切替機構は、前記制御手段、前記動作手段及び前記操作手段により構成されることから、構造が複雑であるので、製造コストが増大する。
【００１１】
そこで本発明が前述の状況に鑑み、解決しようとするところは、窓開閉装置の基体の奥行き、及び基体が取り付けられる窓枠の枠部材に添う方向の基体の長さをコンパクトにすることができるとともに製造コストが増大しない、障子開き角度切替機構を備えた窓開閉装置を提供する点にある。
【課題を解決するための手段】
【００１２】
本発明に係る窓開閉装置は、前記課題解決のために、窓枠に取り付けられた障子が室外側へ開く開閉窓において、
前記窓枠に固定された基体に支持されて略室内外方向に延びる、駆動軸と同軸のウォームと、
前記ウォームに噛み合い、垂直軸芯又は水平軸芯まわりに揺動するウォームホイールと、
前記ウォームホイールと一体で揺動する、室外方向水平面内又は室外方向垂直面内に延びる揺動アームと、
前記揺動アームと前記障子とを連結する連結アームとを含む、
前記障子を開閉する窓開閉装置であって、
前記ウォームホイールと前記揺動アームは別部品であり、
前記揺動アームは、その基端部に切欠部を有し、
前記基体に支持されて垂直軸芯又は水平軸芯まわりに揺動する係止片を前記切欠部内に出没させることにより、前記障子が開く角度を全開及び半開に切り替えることを特徴とする。
【００１３】
このような構成によれば、ウォームホイールと揺動アームが別部品であり、ウォームホイールは障子開き角度切替機構の構成部品ではない。よって、障子開き角度切替機構の切欠部等の構成をウォームホイールに設ける必要がないので、大きな力が作用するウォームホイールの強度及び剛性が低下しない。
その上、揺動アームの基端部の切欠部及び切欠部内に出没する係止片が、障子開き角度切替機構を構成する部品であり、障子開き角度切替機構の構成が簡素であるので、障子開き角度切替機構の動作が確実になるとともに、製造コストの上昇を抑制できる。
その上さらに、揺動アームの基端部の切欠部をウォームホイールの歯底円よりも径方向内方に位置させることにより、障子開き角度切替機構を含む窓開閉装置の基体の奥行き、及び前記基体が取り付けられる窓枠の枠部材に添う方向の前記基体の長さをコンパクトにすることができる。
よって、窓開閉装置が小型ですっきりした外観になるので、スリムな外観の開閉窓にも使用できる。
また、スリムな外観の開閉窓ではない通常の外観の開閉窓に窓開閉装置を用いた場合においても、窓開閉装置の基体やオペレータハンドルがカーテン又はロールスクリーン等に干渉し難くなるとともに、開閉窓における窓開閉装置の存在感が小さくなってすっきりとした印象になるので、デザイン性が向上する。
【００１４】
ここで、前記ウォームホイールは、その全周に歯部を有し、前記歯部の一部が前記ウォームと噛み合うのが好ましい実施態様である。
このような構成によれば、ウォームホイールが、特許文献１及び２のような特殊形状ではない、全周に歯部を有する通常形状の歯車であることから、機械加工が容易である。それにより、製造コストを低減できるとともに精密な歯車が形成できる。よって、ウォームホイールの強度を保てるので、ウォームホイールをよりコンパクトに形成できる。
その上、ウォームホイールの全周に歯部があるため、周方向のどの位置からでもウォームと噛み合うので、揺動アームを揺動させる角度、及び障子開き角度切替機構により切り替える半開の角度等を設計する際における自由度が向上する。
【００１５】
また、前記係止片の揺動中心である前記垂直軸芯又は前記水平軸芯が、前記ウォームホイールの歯先円直径の幅内で、前記ウォームホイールよりも室内側に位置するのが一層好ましい実施態様である。
このような構成によれば、障子開き角度切替機構を構成する係止片の揺動中心がウォームホイールの歯先円直径の幅内で、ウォームホイールよりも室内側に位置することから、窓開閉装置の基体が取り付けられる窓枠の枠部材に添う方向の基体の長さをよりコンパクトにすることができる。
よって、スリムな外観の開閉窓に用いる窓開閉装置としてより好適である。
【００１６】
さらに、前記基体を被うカバーを有し、前記開閉窓のデザイン及び色調に応じて前記カバーを交換するのがより一層好ましい実施態様である。
本発明により窓開閉装置の基体が非常にコンパクトになることから、コンパクトな一つの基体に対して、基体を被うカバーを設けても窓開閉装置はコンパクトなままである。
そして、開閉窓のデザイン及び色調に応じて前記カバーを交換することにより、カバーを交換するたけで様々なデザイン及び色調に適合した窓開閉装置にすることができるので、製品価値を高めることができる。
【００１７】
本発明に係る開閉窓は、窓枠に取り付けられた障子が室外側へ開く開閉窓であって、前記窓開閉装置を備えたものである。
【発明の効果】
【００１８】
以上の構成の窓開閉装置及び開閉窓によれば、主に以下に示すような効果を奏する。
（１）障子開き角度切替機構の切欠部等の構成をウォームホイールに設ける必要がないので、大きな力が作用するウォームホイールの強度及び剛性が低下しない。
（２）障子開き角度切替機構の構成が簡素であるので、障子開き角度切替機構の動作が確実になるとともに、製造コストの上昇を抑制できる。
（３）障子開き角度切替機構を含む窓開閉装置の基体の奥行き、及び前記基体が取り付けられる窓枠の枠部材に添う方向の前記基体の長さをコンパクトにすることができる。
【図面の簡単な説明】
【００１９】
【図１】本発明の実施の形態に係る窓開閉装置を備えた開閉窓の障子を閉じた状態を示す横断面平面図である。
【図２】同じく障子を全開にした状態を示す横断面平面図である。
【図３】同じく障子を半開にした状態を示す横断面平面図である。
【図４】窓開閉装置の基体を被うカバーを透明にして示す斜視図である。
【図５】同じくカバーを取り外して基体を透明にして示す斜視図である。
【図６】窓開閉装置を斜め上方から見た分解斜視図である。
【図７】同じく部分分解斜視図である。
【図８】窓開閉装置を斜め下方から見た部分分解斜視図である。
【図９】障子開き角度切替機構により障子が開く角度を全開にした状態で、基体を被うカバーを取り外して基体を透明にして示す窓開閉装置の要部拡大平面図である。
【図１０】障子開き角度切替機構により障子が開く角度を半開にした状態で、基体を被うカバーを取り外して基体を透明にして示す窓開閉装置の要部拡大平面図である。
【図１１】（ａ）は窓開閉装置の要部拡大底面図、（ｂ）は窓開閉装置の要部拡大横断面底面図である。
【発明を実施するための形態】
【００２０】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、室内側から室外側へ向かう方向の前側を前、後側を後とし、左右は前方に向かっていうものとし、室内側から見た図を正面図とする。
【００２１】
図１〜図３の横断面平面図に示す本発明の実施の形態に係る窓開閉装置１を備えた開閉窓は、窓枠Ｃに取り付けられた障子Ｄが室外側へ開き、障子Ｄを窓開閉装置１により開閉するものであり、本発明が適用される開閉窓の一例として縦すべり出し窓Ｌを示している。
縦すべり出し窓Ｌにおいて、窓枠Ｃの上枠及び障子Ｄの上框の間、並びに窓枠Ｃの下枠及び障子Ｄの下框の間に取り付けられた上下の窓ステーＭ，Ｍを介して、障子Ｄは窓枠Ｃにより支持される。
なお、図１〜図３において、駆動軸３に駆動入力を伝えるオペレータハンドルＫ（例えば、図４参照）の図示は省略している。
【００２２】
窓開閉装置１は、障子Ｄが開く角度を図２の全開及び図３の半開に切り替える障子開き角度切替機構Ａを備える。つまみＦを図１及び図２の位置にすると、障子Ｄは図２に示す全開まで開き、つまみＦを図３の位置にすると、障子Ｄは図３に示す半開までしか開かない。
このような障子開き角度切替機構Ａにより障子Ｄを半開までしか開かないようにすれば、防犯性及び安全性を高めることができる。
【００２３】
図２の横断面平面図、並びに図４及び図５の斜視図に示すように、窓開閉装置１は、窓枠Ｃの枠部材（本実施の形態では下枠）に固定された基体２に支持されて略室内外方向に延びる、駆動軸３と同軸のウォーム４と、ウォーム４に噛み合い、垂直軸芯Ｂ１まわりに揺動するウォームホイール５と、ウォームホイール５と一体で揺動する、室外方向水平面内に延びる揺動アーム６と、揺動アーム６と障子Ｄとを連結する連結アーム７とを含む。
連結アーム７の基端部７Ａは揺動アーム６の先端部６Ｂに枢結され、連結アーム７の先端部７Ｂは障子側金具Ｅに枢結される。
図４に示すオペレータハンドルＫを回転することにより、そのトルクが駆動軸３及びウォーム４を介して、ウォームホイール５に伝達されるので、揺動アーム６及び連結アーム７を介して障子Ｄが開閉する。
なお、窓開閉装置１の基体２は、図６及び図7に示すようなカバーＧで被われるので、コンパクトでかつ滑らかな外観を有する。
本発明により、後述するように基体２が非常にコンパクトになることから、コンパクトな一つの基体２に対して、基体２を被うカバーＧを設けても窓開閉装置１はコンパクトなままである。
そして、窓開閉装置１を使用する開閉窓のデザイン及び色調に応じてカバーＧを交換することにより、カバーＧを交換するたけで様々なデザイン及び色調に適合した窓開閉装置１にすることができるので、製品価値を高めることができる。
【００２４】
図６の斜め上方から見た分解斜視図、及び図８の斜め下方から見た部分分解斜視図に示すように、ウォームホイール５は、その全周に歯部５Ａを有し、図９の要部拡大平面図に示すように、歯部５Ａの一部がウォーム４と噛み合う。
ウォームホイール５の中心孔５Ｂと揺動アーム６の基端部６Ａの中心孔６Ｃを合わせた状態で、揺動アーム６の通孔６Ｄ，６Ｄ及びウォームホイール５の通孔５Ｃ，５ＣにリベットＩ，Ｉを挿通して軸端を加締めることにより、ウォームホイール５は揺動アーム６と一体化される。揺動アーム６は、その基端部に切欠部６Ｅを有する。
【００２５】
揺動アーム６の基端部６Ａ及びウォームホイール５を基体２の開口部２Ａに挿入する。また、揺動アーム６に添わせるように当接片９を基体２の開口部２Ａに挿入する。
基体２の通孔２Ｃ、ウォームホイール５の中心孔５Ｂ及び揺動アーム６の中心孔６Ｃ、及び当接片９の通孔９ＡにリベットＨを挿通して軸端を加締めることにより、ウォームホイール５及び揺動アーム６は、垂直軸芯Ｂ１まわりに揺動可能に基体２により支持され、当接片９は基体２に固定される。
【００２６】
図６の斜め上方から見た分解斜視図、及び図７の斜め上方から見た部分分解斜視図に示すように、駆動軸３のスプライン軸３Ａをガイド部材８の通孔８Ｂに挿通して鍔部３Ｂをガイド部材８に当接させた状態で、ガイド部材８のねじ部８Ａを基体２の螺孔２Ｂに螺合する。それにより、図５の斜視図に示すように、ウォームホイール５の歯部５Ａにウォーム４が噛み合い、基体２からスプライン軸３Ａが突出した状態で、駆動軸３及びウォーム４は、基体２により軸芯まわりに回動可能に支持される。
スプライン軸３Ａには、図示しないセットねじを用いてオペレータハンドルＫの基端部を取り付ける。
【００２７】
図６の斜め上方から見た分解斜視図、及び図８の斜め下方から見た部分分解斜視図に示すように、基体２の通孔２Ｄ、係合体１２の通孔１２ＡにリベットＪを挿通し、リベットＪの二面幅軸部１３Ａを係止片１０の二面幅孔１０Ａに嵌合させ、リベットＪのＤ型軸部１３Ｂを操作片１１のＤ孔１１Ａに嵌合させて軸端を加締める。
また、図７の斜め上方から見た部分分解斜視図に示す操作片１１の基体２から外方へ突出する部分には、基体２にカバーＧを装着した後に、つまみＦを取り付ける。
【００２８】
以上のように各部品が組み付けられた基体２は、取付孔２Ｅ，２Ｅを利用して窓枠Ｃの枠部材（本実施の形態では下枠）に固定される。
以上のような窓開閉装置１により、図４に示すオペレータハンドルＫを操作することにより、障子Ｄを開閉できる。
また、図９及び図１０の要部拡大平面図に示すように、つまみＦを操作することにより、係止片１０を垂直軸芯Ｂ２まわりに揺動させることができる。
【００２９】
図９の要部拡大平面図、並びに図１１（ａ）の要部拡大底面図、及び図１１（ｂ）の要部拡大横断面底面図の実線に示すつまみＦの位置では、係合体１２の係合凸部１２Ｂが操作片１１先端の係合凹部１１Ｂに係合するので、つまみＦ及び操作片１１、並びに係止片１０の位置が固定され、その位置では、揺動アーム６が揺動しても切欠部６Ｅ内に係止片１０が入らない。
よって、図１及び図２、並びに図９のように、駆動軸３を回動させることにより、障子Ｄは、閉じた状態（図１）から全開にした状態（図２）との間の適宜位置まで開くことができる。
【００３０】
図１１（ａ）の要部拡大底面図、及び図１１（ｂ）の要部拡大横断面底面図の矢印のようにつまみＦを揺動させた、図１０の要部拡大平面図、並びに図１１（ａ）の要部拡大底面図、及び図１１（ｂ）の要部拡大横断面底面図の二点鎖線に示すつまみＦの位置では、係止片１０の側部が当接片９の当接部９Ｂに当接し、係合体１２の係合凸部１２Ｂが操作片１１先端の係合凹部１１Ｃに係合するので、つまみＦ及び操作片１１、並びに係止片１０の位置が固定され、その位置では、揺動アーム６の切欠部６Ｅ内に係止片１０が入る。
よって、図１及び図３、並びに図１０のように、駆動軸３を回動させることにより、障子Ｄは、閉じた状態（図１）から半開にした状態（図３）との間の適宜位置まで開くことができる。
【００３１】
以上のとおり、基体２に支持されて垂直軸芯Ｂ２まわりに揺動する係止片１０を揺動アーム６の切欠部６Ｅ内に出没させることにより、障子Ｄが開く角度を全開及び半開に切り替えることができる。基体２に支持されて垂直軸芯Ｂ２まわりに揺動し、つまみＦにより操作される係止片１０、及び係止片１０が出没する、揺動アーム６の切欠部６Ｅが、障子開き角度切替機構Ａを構成する。
【００３２】
図９及び図１０に示すように、係止片１０の揺動中心である垂直軸芯Ｂ２は、ウォームホイール５の歯先円直径の幅内で、ウォームホイール５よりも室内側に位置する。
よって、窓開閉装置１の基体２の幅（左右方向の長さ）を、図９及び図１０のように、非常にコンパクトにすることができるので、スリムな外観の開閉窓に用いる窓開閉装置１として好適なものとなる。
【００３３】
以上のような構成の窓開閉装置１によれば、ウォームホイール５と揺動アーム６が別部品であり、ウォームホイール５は障子開き角度切替機構Ａの構成部品ではない。よって、障子開き角度切替機構Ａの切欠部等の構成をウォームホイール５に設ける必要がないので、大きな力が作用するウォームホイール５の強度及び剛性が低下しない。
その上、揺動アーム６の基端部６Ａの切欠部６Ｅ及び切欠部６Ｅ内に出没する係止片１０が、障子開き角度切替機構Ａを構成する部品であり、障子開き角度切替機構Ａの構成が簡素であるので、障子開き角度切替機構Ａの動作が確実になるとともに、製造コストの上昇を抑制できる。
【００３４】
その上さらに、揺動アーム６の基端部６Ａの切欠部６Ｅをウォームホイール５の歯底円よりも径方向内方に位置させることにより、障子開き角度切替機構Ａを含む窓開閉装置１の基体２の奥行き、及び基体２の幅（左右方向の長さ）をコンパクトにすることができる。
よって、窓開閉装置１が小型ですっきりした外観になるので、スリムな外観の開閉窓（例えば，図１〜図３のような幅が小さい縦すべり出し窓Ｌ）にも使用できる。
また、スリムな外観の開閉窓ではない通常の外観の開閉窓に窓開閉装置１を用いた場合においても、窓開閉装置１の基体２やオペレータハンドルＫがカーテン又はロールスクリーン等に干渉し難くなるとともに、開閉窓における窓開閉装置１の存在感が小さくなってすっきりとした印象になるので、デザイン性が向上する。
【００３５】
さらに、ウォームホイール５が、特許文献１及び２のような特殊形状ではない、全周に歯部５Ａを有する通常形状の歯車であることから、機械加工が容易である。それにより、製造コストを低減できるとともに精密な歯車が形成できる。よって、ウォームホイール５の強度を保てるので、ウォームホイール５をよりコンパクトに形成できる。
その上、ウォームホイール５の全周に歯部５Ａがあるため、周方向のどの位置からでもウォーム４と噛み合うので、揺動アーム６を揺動させる角度、及び障子開き角度切替機構Ａにより切り替える半開の角度等を設計する際における自由度が向上する。
【００３６】
以上の説明においては、オペレータハンドルにより駆動軸及びウォームを回動させる、手動で操作する窓開閉装置について説明したが、窓開閉装置はそのような手動で操作する構成に限定されるものではなく、駆動軸を例えばギヤドモータ等のアクチュエータの出力軸と連結する構成等、電動で操作する構成であってもよい。
また、高所に設置した開閉窓及び窓開閉装置に対し、その下方からボールチェーン等により開閉操作をする構成であってもよい。
【００３７】
さらに、以上の説明においては、窓開閉装置が適用される開閉窓が縦すべり出し窓である場合を示したが、窓開閉装置が適用される開閉窓は、横すべり出し窓、片開き窓又は突出し窓等であってもよく、すなわち、窓枠に取り付けられた障子が室外側へ開くものであればよい。
したがって、本発明の窓開閉装置は、それが適用される開閉窓の構成に応じて、下枠ではなく上枠や縦枠に取り付けられる。
窓開閉装置が縦枠に取り付けられる場合は、ウォームホイールは水平軸芯まわりに揺動し、ウォームホイールと一体で揺動する揺動アームは、室外方向垂直面内に延び、係止片は水平軸芯まわりに揺動する。
【符号の説明】
【００３８】
Ａ  障子開き角度切替機構                Ｂ１，Ｂ２  垂直軸芯
Ｃ  窓枠                                Ｄ  障子
Ｅ  障子側金具                          Ｆ  つまみ
Ｇ  カバー                              Ｈ，Ｉ，Ｊ  リベット
Ｋ  オペレータハンドル                  Ｌ  縦すべり出し窓（開閉窓）
Ｍ  窓ステー
１  窓開閉装置                          ２  基体
２Ａ  開口部                            ２Ｂ  螺孔
２Ｃ，２Ｄ  通孔                        ２Ｅ  取付孔
３  駆動軸                              ３Ａ  スプライン軸
３Ｂ  鍔部                              ４  ウォーム
５  ウォームホイール                    ５Ａ  歯部
５Ｂ  中心孔                            ５Ｃ  通孔
６  揺動アーム                          ６Ａ  基端部
６Ｂ  先端部                            ６Ｃ  中心孔
６Ｄ  通孔                              ６Ｅ  切欠部
７  連結アーム                          ７Ａ  基端部
７Ｂ  先端部                            ８  ガイド部材
８Ａ  ねじ部                            ８Ｂ  通孔
９  当接片                              ９Ａ  通孔
９Ｂ  当接部                            １０  係止片
１０Ａ  二面幅孔                        １１  操作片
１１Ａ  Ｄ孔                            １１Ｂ，１１Ｃ  係合凹部
１２  係合体                            １２Ａ  通孔
１２Ｂ  係合凸部                        １３Ａ  二面幅軸部
１３Ｂ  Ｄ型軸部
【図１】
2018135633.tif 000003
【図２】
2018135633.tif 000004
【図３】
2018135633.tif 000005
【図４】
2018135633.tif 000006
【図５】
2018135633.tif 000007
【図６】
2018135633.tif 000008
【図７】
2018135633.tif 000009
【図８】
2018135633.tif 000010
【図９】
2018135633.tif 000011
【図１０】
2018135633.tif 000012
【図１１】
2018135633.tif 000013